(57)【特許請求の範囲】
【請求項１】
表示手段と、該表示手段に表示した画像に対する操作入力を受け付ける操作入力手段と、前記表示手段の表示画面を制御し、該表示画面の全画面を縮小したサブ画面として表示する表示制御手段と、前記操作入力手段に対する所定の操作入力に従って、前記サブ画面の画像のなかから、該画像に対する操作入力を行うための入力エリアを選択する入力エリア選択手段とを有し、
前記表示制御手段は、前記サブ画面の画像から前記入力エリアが選択された際に、前記入力エリアの画像を入力用サブ画面として前記サブ画面に表示させるとともに、前記表示手段の全画面に表示している画像において、前記入力エリアとして選択したエリアの画像を判別できるように表示させることを特徴とする情報表示装置。
【請求項２】
請求項１に記載の情報表示装置において、該情報表示装置は、前記表示手段の表示画面全域に対して操作入力を可能とする通常入力モードと、前記表示手段の表示画面に表示された前記サブ画面の画像に対する操作入力を可能とするサブ画面入力モードとが選択可能に設定され、
前記表示制御手段は、前記サブ画面入力モードが選択されている場合、前記サブ画面の画像に対して実行された操作入力を全画面に反映させて表示させることを特徴とする情報表示装置。
【請求項３】
請求項１または２に記載の情報表示装置において、該情報表示装置は、前記表示手段に既に表示されている元画像の編集を行う操作入力を許可する元画像編集可能モードと、前記元画像の編集を許可しない元画像編集不可モードとが選択可能に設定されていることを特徴とする情報表示装置。
【請求項４】
請求項３に記載の情報表示装置において、前記表示制御手段は、前記表示手段に対して表示させる画像が編集可であるか編集不可であるかを判別できるように、前記編集可である画像と前記編集不可である画像とを異なる表示形態で表示させることを特徴とする情報表示装置。
【請求項５】
請求項１〜４のいずれか１に記載の表示装置において、前記表示制御手段は、前記表示手段の全画面に表示している画像において、前記入力エリアとして選択したエリアの画像を判別できるように表示させる際に、前記入力エリアとして選択したエリアの画像が編集中であることを判別できるように、前記選択したエリアの画像と、選択されていないエリアの画像とを異なる表示形態で表示させることを特徴とする情報表示装置。
【請求項６】
請求項１〜５のいずれか１に記載の情報表示装置の機能をコンピュータに実現させるためのプログラム。
【請求項７】
請求項６に記載のプログラムをコンピュータ読み取り可能に記録した記録媒体。
【請求項８】
情報処理装置の制御部が、表示手段に既に表示されている元画像の編集を行う操作入力を許可する元画像編集可能モードと、前記元画像の編集を許可しない元画像編集不可モードとのいずれかを選択するステップと、
前記制御部が、前記表示手段の表示画像が編集可であるか編集不可であるかを判別できるように、前記編集可である画像と前記編集不可である画像とを異なる表示形態で表示させるステップと、
前記制御部が、前記表示手段に表示させる表示画面の全域に対して操作入力を可能とする通常入力モードと、表示画面の全画面を縮小して表示したサブ画面に対する操作入力を可能とするサブ画面入力モードとのいずれかを選択するステップと、
前記制御部が、前記サブ画面入力モードが選択された場合に、前記サブ画面の画像のなかから、該画像に対する操作入力を行うための入力エリアを選択するステップと、
前記制御部が、前記入力エリアが選択された際に、前記入力エリアの画像を入力用サブ画面として前記サブ画面に表示させるステップと、
前記制御部が、前記表示手段の全画面に表示している画像のうち、前記入力エリアとして選択したエリアの画像が編集中であることを判別できるように、前記選択したエリアの画像と、選択されていないエリアの画像とを異なる表示形態で表示させるステップと、を有することを特徴とする情報表示方法。
【発明の詳細な説明】
【技術分野】
【０００１】
本発明は、情報表示装置、情報表示方法、プログラム及び記録媒体に関し、特にタッチパネル等の操作入力手段により入力可能な表示画面における情報表示技術に関するものである。
【背景技術】
【０００２】
大型の液晶表示装置などの表面にタッチパネルを配して電子ペンなどによる入力を可能とすることで、会議用の電子黒板などに適用できるようにした情報表示装置が知られている。このようなタッチパネルによる入力が可能な情報表示装置は、ある程度の広さまでの会議室のおける使用を想定しており、その高さは人の手の届く範囲で、幅も人の移動に障害が生じない程度のものであった。
【０００３】
しかしながら、電子的なディスプレイの大型化が進んできて、例えば大学の講義室や国際会議場のような広い場所に大型化された情報表示装置を設置した場合、その上部に利用者の手が届かなかったり、利用者が表示画面の端まで行って入力するときに非常に労力を要したりする、という問題が発生する。
【０００４】
上記のような問題を解決すべく、例えば特許文献１には、大画面への描画を容易にし、詳細な表示も良好に認識可能なシステムとして、メインディスプレイの大画面または小画面に表示されている画像にペン入力を行うと、メインディスプレイの小画面あるいはサブディスプレイに表示されている画像にも同じ内容が入力されるという技術が開示されている。
【特許文献１】特開２００２−１９６７３９号公報
【発明の開示】
【発明が解決しようとする課題】
【０００５】
しかしながら、利用者がタッチパネルにより入力したい範囲を詳細に指定する方法は、上記特許文献１には開示されてなく、利用者が手の届かない表示領域を切り出すことができず、その領域に対する入力を行うことが困難であった。
本発明は、上述のごとき実情に鑑みてなされたもので、画面の全体縮小画面から任意の場所を選択できるようにすることで、利用者の手の届く範囲外の上部や端部における入力作業を容易に実行することができるようにした情報表示装置及び情報表示方法と、該装置の機能を実現するプログラム及び記録媒体を提供することを目的とするものである。
【課題を解決するための手段】
【０００６】
上記課題を解決するために、本発明の第１の技術手段は、表示手段と、表示手段に表示した画像に対する操作入力を受け付ける操作入力手段と、表示手段の表示画面を制御し、表示画面の全画面を縮小したサブ画面として表示する表示制御手段と、操作入力手段に対する所定の操作入力に従って、サブ画面の画像のなかから、画像に対する操作入力を行うための入力エリアを選択する入力エリア選択手段とを有し、表示制御手段は、サブ画面の画像から入力エリアが選択された際に、入力エリアの画像を入力用サブ画面としてサブ画面に表示させるとともに、表示手段の全画面に表示している画像において、入力エリアとして選択したエリアの画像を判別できるように表示させることを特徴としたものである。
【０００７】
第２の技術手段は、第１の技術手段において、情報表示装置は、表示手段の表示画面全域に対して操作入力を可能とする通常入力モードと、表示手段の表示画面に表示されたサブ画面の画像に対する操作入力を可能とするサブ画面入力モードとが選択可能に設定され、表示制御手段は、サブ画面入力モードが選択されている場合、サブ画面の画像に対して実行された操作入力を全画面に反映させて表示させることを特徴としたものである。
【０００９】
第３の技術手段は、第１または第２の技術手段において、情報表示装置は、表示手段に既に表示されている元画像の編集を行う操作入力を許可する元画像編集可能モードと、元画像の編集を許可しない元画像編集不可モードとが選択可能に設定されていることを特徴としたものである。
【００１０】
第４の技術手段は、第３の技術手段において、表示制御手段は、表示手段に対して表示させる画像が編集可であるか編集不可であるかを判別できるように、編集可である画像と編集不可である画像とを異なる表示形態で表示させることを特徴としたものである。
【００１１】
第５の技術手段は、第１〜第４のいずれかの技術手段において、表示制御手段は、表示手段の全画面に表示している画像において、入力エリアとして選択したエリアの画像を判別できるように表示させる際に、入力エリアとして選択したエリアの画像が編集中であることを判別できるように、選択したエリアの画像と、選択されていないエリアの画像とを異なる表示形態で表示させることを特徴としたものである。
【００１３】
第６の技術手段は、第１〜５のいずれかの技術手段である情報表示装置の機能をコンピュータに実現させるためのプログラムである。
【００１４】
第７の技術手段は、第６の技術手段であるプログラムをコンピュータ読み取り可能に記録した記録媒体である。
【００１５】
第８の技術手段は、情報処理装置の制御部が、表示手段に既に表示されている元画像の編集を行う操作入力を許可する元画像編集可能モードと、元画像の編集を許可しない元画像編集不可モードとのいずれかを選択するステップと、制御部が、表示手段の表示画像が編集可であるか編集不可であるかを判別できるように、編集可である画像と編集不可である画像とを異なる表示形態で表示させるステップと、制御部が、表示手段に表示させる表示画面の全域に対して操作入力を可能とする通常入力モードと、表示画面の全画面を縮小して表示したサブ画面に対する操作入力を可能とするサブ画面入力モードとのいずれかを選択するステップと、制御部が、サブ画面入力モードが選択された場合に、サブ画面の画像のなかから、該画像に対する操作入力を行うための入力エリアを選択するステップと、制御部が、入力エリアが選択された際に、入力エリアの画像を入力用サブ画面としてサブ画面に表示させるステップと、制御部が、表示手段の全画面に表示している画像のうち、入力エリアとして選択したエリアの画像が編集中であることを判別できるように、選択したエリアの画像と、選択されていないエリアの画像とを異なる表示形態で表示させるステップと、を有することを特徴としたものである。
【発明の効果】
【００１６】
本発明によれば、画面の全体縮小画面から任意の場所を選択できるようにすることで、利用者の手の届く範囲外の上部や端部における入力作業を容易に実行することができるようになる。すなわち全画面の縮小画面をサブ画面として表示し、そのサブ画面上で手の届かないような画面のエリアを選択して入力用のサブ画面とし、そのサブ画面を手元で表示させることによって編集等の入力が可能となる。また入力完了後は元の画面に編集内容を反映させることができる。
【００１７】
また本発明によれば、編集中であることを判別できる表示を行うため、編集中であるかどうかの判別も容易となる。また元画像の編集を許可するか否かを選択可能となるため、不注意による操作誤謬を少なくすることができる。また画像の編集が不可であることを判別できる表示を行うため、編集可あるいは不可であるかどうかの判別も容易となる。よって情報表示装置の入力操作の操作性を向上させることができる。
【発明を実施するための最良の形態】
【００１８】
図１は、本発明に係る情報表示装置の一実施形態を説明するためのブロック図である。図１において、情報表示装置１は、タッチパネル付き表示装置１０、入力部２０、及び情報処理装置３０とから構成されている。タッチパネル付き表示装置１０と情報処理装置３０は、それぞれ別装置で構成してもよく、一体型の装置として構成したものであってもかまわない。
【００１９】
タッチパネル付表示装置１０は、タッチパネル付きの大型液晶ディスプレイ等からなる画像表示部１１と、入力部２０を使用したタッチパネルへの接触状況を監視する接触監視部１２とを有している。タッチパネルは大型液晶ディスプレイの表示側前面に配置され、利用者は、表示画面を視認しながらタッチパネルに対する操作入力が可能となっている。タッチパネルは本発明の操作入力手段に該当し、また大型液晶ディスプレイは、本発明の表示手段に該当するものである。
【００２０】
タッチパネル付表示装置１０の画像表示部１１は、情報処理装置３０からインターフェースを介して受信した画像データを表示する。また接触監視部１２は、入力部２０によるタッチパネルへの接触の有無及び接触位置等を監視し、監視結果（接触状況とその接触位置等）をインターフェースを介して情報処理装置３０に送信する。
入力部２０は、電子ペン等のポインティングデバイスであって、この入力部２０をタッチパネルにタッチさせることで、利用者が所望する操作入力が可能となる。この他入力部２０としては、画像表示部１１のタッチパネルに接触可能なものであれば適用することができ、人間の指、あるいはペンや棒等を入力部２０としてもかまわない。
【００２１】
情報処理装置３０は、当該装置３０の全体を制御する主制御部３１、記憶部３２、及び画像生成部３３を有している。主制御部３１は、当該装置３０の全体を制御するとともに、タッチパネル付表示装置１０の接触監視部１２からインターフェースを介して送られてきた監視結果を受け取り、入力部２０の接触位置に描画する描画命令を画像生成部３３に送るか、あるいは接触位置でのポインティング動作を実行する制御を行う。
【００２２】
情報処理装置３０の記憶部３２は、例えば、ＲＡＭ（Random Access Memory）やＲＯＭ（Read Only Memory）、ＨＤＤ（Hard Disk Drive）などで構成され、主制御部３１で実行される制御プログラム、各種アプリケーションプログラムやデータを格納したり、制御プログラムや各種アプリケーションプログラムが実行時に一時的にデータを格納したりするものである。
また画像生成部３３は、主制御部３１から受け取った描画命令に従って画像データを生成し、インターフェースを介してタッチパネル付表示装置１０の画像表示部１１に送る。画像表示部１１では画像生成部３３から送られた画像データに従って、入力部２０の接触位置に対応した描画画像などを表示する。
【００２３】
図２は、図１の構成における情報処理装置の機能を説明するためのブロック図である。図２において、情報処理装置３０は、画像入力制御部４１、画像記憶部４２、編集モード処理部４３、入力モード処理部４４、サブ画面処理部４５、及び入力エリア選択処理部４６を含んで構成される。これらの画像入力制御部４１、編集モード処理部４３、入力モード処理部４４、サブ画面処理部４５、及び入力エリア選択処理部４６の機能は図１の主制御部３１により実現される。これらの機能を実現するこのプログラムは、記憶部３２からＲＡＭのようなメモリにロードされて主制御部３１のＣＰＵ（Central Processing Unit）によって実行される。
【００２４】
画像記憶部４２は、図１に示す記憶部３２の一部として構成されたもので、入力部２０による入力に基づく画像データを記憶したり、後述する元画面編集不可モードやサブ入力画面での入力のモードの場合に、入力完了時までの画像データを記憶したりする。
【００２５】
画像入力制御部４１は、接触監視部１２により検知された入力部２０による入力に基づくイベントをインターフェースを介して受け取り、各部を制御する。ここでまず画像入力制御部４１は、接触監視部１２が入力部２０の入力により検知した新規イベントを受け取ると、編集モード処理部４３を起動する。新規イベントは、タッチパネル付表示装置１上で表示画像を編集中ではない状態で、新規に入力部２０によるタッチ操作があったときに発行されるイベントである。
【００２６】
編集モード処理部４３は、入力部２０により編集モードが指示されたことを示す編集モードの指示イベントを画像入力制御部４１から受け取ると、元画面編集不可モードが選択されたか、または元画面編集可能モードが選択されたかを判別する。元画面編集不可モードは、既に表示されている元画面の編集を許可しないモードであり、元画面編集可能モードは、既に表示されている元画面の編集を許可するモードである。これらのモードのさらに具体的な操作例は後述する。
【００２７】
編集モード処理部４３は、入力部２０により元画面編集不可モードが選択された場合、元画面（現在表示されている画面）の画像データを画像記憶部４２に記憶する。そして元画面が編集不可である旨を表示する画像データを画像生成部３３にて生成させ、生成した画像データを画像表示部１１にて表示させる。この後、編集モード処理部４３は、画像入力制御部４１から編集モードの選択完了イベントを受け取ると、入力モード処理部４４を起動する。
【００２８】
入力モード処理部４４は、入力部２０により入力モードが指示されたことを示す入力モード指示イベントを画像入力制御部４１から受け取ると、その入力モード指示イベントが、サブ画面入力モードか通常入力モードかを判別する。サブ画面入力モードは、画像表示部１１の表示画面に生成したサブ画面に対して入力部２０による入力を行うモードであり、通常入力モードは、画像表示部１１の表示画面全域に対して通常の入力操作を可能とするモードである。これらのモードのさらに具体的な操作例は後述する。
入力モード処理部４４は、入力モード指示イベントがサブ画面入力モードを指示している場合、サブ画面処理部４５を起動する。
【００２９】
サブ画面処理部４５は、サブ画面入力モードが選択されたとき、画像生成部３３でまず全画面の画像データを生成させる。このとき画像生成部３３では、画像表示部１１に全体画面を表示させている。そしてさらにサブ画面処理部４５は、画像生成部３３にて生成された全体画面の画像データをサブ画面データとして生成させ、画像表示部１１にて表示させる。このとき画像表示部１１で表示される画面には、全画面のなかに、その全画面を縮小したサブ画面が表示される。
その後、サブ画面処理部４５は、画像入力制御部４１からサブ画面の表示完了のイベントを受け取ると、入力エリア選択処理部４６を起動する。
【００３０】
入力エリア選択処理部４６は、入力部２０により入力エリアが選択されたことを示す入力エリア選択イベントを受け取ると、選択された入力エリアの画像データを画像生成部３３にて生成させる。上記入力部２０による入力エリアの選択は、全画面を縮小表示したサブ画面に対して実行される。ここでは例えば、入力エリアの始点と終点とを規定し、これらの始点と終点とを結ぶ対角線をもつ矩形範囲を選択する。そして画像生成部３３は、サブ画面処理部４５の制御に従って、サブ画面に対して入力された入力エリアの画像データを全画面の画像から抽出し、その画像データをサブ画面に表示させる。つまりここで、サブ画面の表示が縮小された全画面の画像から、選択された入力エリアの画像に切り換えられる。サブ画面に表示する入力エリアの画像は、サブ画面に全画面を表示するときと異なり縮小表示する必要はない。
【００３１】
こうしてサブ画面には、利用者が入力部２０を使用して選択した入力エリアの画像が表示される。そして表示された入力エリアの画像に対して、追加の書き込みを行ったり加工や削除等の編集を行うことができる。サブ画面に対して実行した編集操作は、全体画面に反映されて表示される。ここではサブ画面を利用者の手が届く範囲に表示させるように設定しておくことにより、利用者は任意の画面エリアを選択してサブ画面に表示させ、このサブ画面に対して容易に編集操作を行うことができるようなる。
【００３２】
上記の構成において、表示手段に表示させる表示画面を制御する本発明の表示制御手段は、情報処理装置３０の主制御部３１と、主制御部３１の制御に従って画像データを生成する画像生成部３３とによって実現される。また入力エリア選択手段は、タッチパネル付表示装置１０の接触監視部１２、及び主制御部３１で実現される入力エリア選択処理部４６と画像生成部３３によって実現される。
【００３３】
次に上記編集モード選択で選択される編集モードについて更に具体的に説明する。図３は、編集モードについて説明するための図である。本発明に係る実施形態の情報表示装置１で設定されている編集モードには次の２種類がある。利用者は、入力部２０を使用してこれらの編集モードのいずれかを選択できるようになっている。
【００３４】
（Ａ）元画面編集可能モード
元画面編集可能モードは、タッチパネル付表示装置１０の画像表示部１１に表示される表示画面において、編集前から表示されている画像（元画像）の編集を可能とするモードであり、既存の通常の編集モードに該当するものである。
情報表示装置１に元画面編集可能モードが設定されている場合、利用者は、入力部２０を使用してタッチパネル付表示装置１０の画像表示部１１に表示されている画像を任意に編集することができる。例えば新たに描画画像を追加したり、現在表示されている画像の削除や加工などを行ったりすることができる。また画像表示部１１に表示されているメニューやアイコンなどのポインティング操作なども可能である。
【００３５】
例えば図３（Ａ）に示すように、画像表示部１１に表示されている表示画面１００において、既に描画されている元画像１０２が表示されているものとする。元画面編集可能モードでは、この元画像１０２を通常の状態で表示したまま、新たな描画やポインティング操作が可能である。例えば利用者は、入力部２０の一形態である電子ペン２０１等を使用して新たな描画像１０１を書き加えることができる。この他、元画像１０２の削除や加工などの編集作業も適宜行うことができる。
【００３６】
（Ｂ）元画面編集不可モード
元画面編集不可モードは、タッチパネル付表示装置１０に表示される表示画面において、編集前から表示されている画像の編集を許可しないモードである。このような元画面編集不可モードは、他人が描画した画像を変更することなく更に追記したい、といった用途に用いることができる。例えば答案添削のように、他人が描画した画像の上に重ね書きしたり、更に重ね書きした画像を削除したりするような作業に対して有用である。
【００３７】
情報処理装置３０では、元画面編集不可モードが設定されると、編集前の元画像データを画像記憶部４２に記憶する。そして元画像が編集不可であることを示すために、元画像を半透明にした画像データを画像生成部３３にて生成して、タッチパネル付表示装置１０の画像表示部１１に表示させる。そして表示画面に対する利用者の編集作業が終了すると、情報処理装置３０では、元画像を半透明から元の状態に戻し、編集前の元画像データに追加された編集内容を含む画像データを画像生成部３３にて生成し、画像表示部１１で表示させる。
【００３８】
例えば図３（Ｂ）に示すように、画像表示部１１に表示されている表示画面１００において、既に描画されている元画像１０２が表示されているものとする。元画面編集不可モードでは、この元画像１０２を半透明な状態で表示することで、この元画像１０２が編集不可の画像である旨を利用者に知らせる。ここでは半透明のみならず、元画像が編集可能である上記元画像編集可能モードと、元画像が編集不可である元画像編集不可モードにおいて、編集可能の画像と編集不可の画像とを異なる表示形態で表示させるようにすればよい。これにより利用者は、表示されている画像が編集可能か否かを認識することができる。
【００３９】
この状態で利用者は、入力部２０の一形態である電子ペン２０１等を使用して新たな描画像１０１を書き加えることができる。ただしここでは元画像１０２はプロテクトされていて、元画像１０２に対する削除や加工などの編集作業を行うことはできない。
【００４０】
次に上記入力モード選択で選択される入力モードについて更に具体的に説明する。図４及び図５は、入力モードを説明するための図である。本発明に係る実施形態の情報表示装置１で設定されている入力モードには次の２種類がある。利用者は、入力部２０を使用してこれらの入力モードのいずれかを選択できるようになっている。
【００４１】
（Ａ）通常入力モード
通常入力モードは、タッチパネル付表示装置１０の画像表示部１１に表示されている表示画面全域に対して、直接入力を行うためのモードである。この通常入力モードでは、利用者は入力部２０を使用して、直接タッチパネル付表示装置１０のタッチパネルに接触することで、画像表示部１１に描画画像を表示させたり、接触位置でのポインティング動作を実行させたりすることができる。つまり通常入力モードは、入力部２０を用いた通常の入力を可能とするモードである。
【００４２】
例えば図４に示すように、画像表示部１１に表示されている表示画面１００において、既に描画されている元画像１０２が表示されているものとする。通常入力モードでは、この元画像１０２を表示したまま、新たな描画やポインティングが可能である。例えば利用者は、入力部２０の一形態である電子ペン２０１等を使用して新たな描画像１０１を描画して書き加えることができる。そしてこのとき元画面編集可能モードに設定されていれば、元画像１０２の削除や加工などの編集作業も適宜行うことができる。また元が画面編集不可モードに設定されていれば、元画像１０２の編集はできないが、新たな追記やポインティング操作が可能である。
【００４３】
（Ｂ）サブ画面入力モード
サブ画面入力モードは、タッチパネル付表示装置１０の画像表示部１１に表示される表示画面において、全画面を縮小表示したサブ画面によって入力エリアを選択し、選択した入力エリアの画像をそのサブ画面に表示させることで、サブ画面に対して画像の描画やポインティング等の操作を行うモードである。このサブ画面入力モードは、タッチパネル付表示装置１０の表示画面上で利用者の手が届かないようなエリアに描画等を行うために用いられる。
【００４４】
情報処理装置３０では、サブ画面入力モードが設定されると、画像生成部３３によって全画面を縮小して表示させるサブ画面データを生成し、画像表示部１１にて表示させる。ここでは、画像表示部１１の全体に全画面の画像が表示され、かつ所定位置に表示されるサブ画面に全画面の画像が縮小されて表示される。
そして利用者は、サブ画面に表示されている縮小された全体画像に対して、描画等の編集を行いたいエリアを入力部２０を用いて選択する。情報処理装置３０は、選択された入力エリアの画像データをサブ画面上に表示する。ここでサブ画面は、縮小された全画面の画像から、選択された入力エリアの画像へと切り換えられる。
【００４５】
また情報処理装置３０は、画像表示部１１の全体に表示されている全画面の画像に対して、選択された入力エリアが編集中である旨を表示させる。編集中である旨の表示は、例えば入力エリアにハッチングを掛けたり、入力エリアに色付けしたり、入力エリア周囲を点滅させるなど、適宜各種任意の方式を採用できる。利用者は、入力部２０を用いてサブ画面に対して描画等の編集作業を行う。
そして情報処理装置３０は、編集作業の終了イベントを受け取ると、全画面の画像に表示された編集中である旨を元の表示状態に戻し、サブ画面で追加編集された内容を編集前の元画像に反映し、編集内容が反映された全画面の画像データを画像表示部１１で表示させる。
【００４６】
例えば図５（Ａ）に示すように、画像表示部１１に表示されている表示画面１００において、元画像１０２が表示されているものとする。ここで利用者による操作によってサブ画面入力モードが設定されると、画像表示部１１には、表示画面１００の全体に表示されている全画面を縮小したサブ画面１０３が表示される。サブ画面１０３の表示位置は予め定めておくことができる。この場合、画像表示部１１が大画面を持つものであっても、利用者の手が届く範囲でかつ利用者が通常位置する側の近傍にサブ画面１０３の表示位置を設定しておくことができる。またサブ画面１０３の表示位置は、予め用意された複数の表示位置から選択可能としてもよく、あるいは入力部２０のドラッグ操作などによって適宜移動可能としてもよい。
【００４７】
そして利用者は、電子ペン２０１などの入力部を使用して、サブ画面１０３に表示されている画像から、任意の入力エリア１０４を選択する。入力エリア１０４の選択に際して、例えば電子ペン２０１を用いて画面上の始点と終点をポイントし、この始点と終点とを結ぶ線を対角線とする矩形の範囲を入力エリア１０４とすることができる。
【００４８】
サブ画面１０３で入力エリア１０４が選択されると、図５（Ｂ）に示すように、画像表示部１１の全体に表示された全画面には、サブ画面１０３で選択された入力エリア１０４に該当するエリア１０５が表示される。このときエリア１０５には、例えばハッチングなどの方法を用いて、編集中である旨を表示する。つまり入力エリア１０４として選択したエリア１０５の画像に対して編集中であることを判別できるように、選択したエリア１０５の画像と、選択されていないエリアの画像とを異なる表示形態で表示させる。これにより利用者は、選択したエリア１０５の画像が編集中であることを認識することができる。
【００４９】
またこのときにサブ画面１０３は、全画面を縮小した画像から、利用者が選択した入力エリア１０４の画像に切り換えられる。そして利用者は、電子ペン２０１などの入力部を使用して、サブ画面１０３に対して描画像１０１を描画する等の編集作業を行うことができる。サブ画面１０３は、例えば利用者の手が届く範囲に設定されているため、画像表示部１１の手が届かないエリア１０５に対してもサブ画面１０３にて編集が可能である。そしてサブ画面１０３に対して編集された内容は、画像表示部１１の全体に表示された全画面に反映される。
【００５０】
上述した編集モード及び入力モードについては、入力操作の利便性を向上させるために、デフォルトで元画面編集可能モードと通常入力モードとを設定しておき、入力のたびにモードの選択処理を行うことなく、利用者が他のモードを指定したいときにのみ編集モード処理部４３あるいは入力モード処理部４４を起動させるようにしてよい。
また、上述の入力エリア１０４を選択する際の始点と終点の指定方法は、電子ペンなどの入力装置で始点から終点までドラッグして指定する方法であってもよく、あるいは始点と終点の位置を数値で入力する方法を適用したものであってもよい。
【００５１】
図６は、本発明に係る情報表示装置における編集時の処理の一例を説明するためのフローチャートである。ここでは図２のブロック図を参照しながら説明する。
まず編集中でないときに入力部２０による接触イベントがあった場合、接触イベントが接触監視部１２から画像入力制御部４１に渡される（ステップＳ１−Ｙｅｓ）。画像入力制御部４１は、編集モード処理部４３を起動し、編集モード処理部４３の制御によって編集モード選択画面を画像表示部１１に表示させる（ステップＳ２）。
【００５２】
編集モード選択画面では、画像表示部１１に既に表示されている元画像を編集する操作入力を許可する元画像編集可能モードと、元画像の編集を許可しない元画像編集不可モードとのいずれかを選択することができる。編集モード処理部４３は、編集モード選択画面に対して入力された編集モードの指示イベントを受け取ると、その指示イベントによる編集モードを判別する（ステップＳ３）。
編集モードが、図３（Ｂ）に示すごとくの元画面編集不可モードであった場合、編集前の元画像の画像データを画像記憶部４２に記憶し、元画像の画像データをプロテクトするとともに、編集不可であることを示すために、元画像を半透明にした画像データを画像生成部３３で生成して画像表示部１１で表示させる（ステップＳ４）。ここでは半透明の他、編集可である画像と異なる表示形態を適宜設定できる。
【００５３】
ステップＳ３で編集モードが元画面編集可モードであった場合、及びステップＳ４で元画像を半透明表示した場合、入力モード処理部４４が起動し、入力モードが判別される（ステップＳ５）。 ここで利用者は、画像表示部１１に表示させる表示画面の全域に対して操作入力を可能とする通常入力モードと、表示画面の全画面を縮小して表示したサブ画面に対する操作入力を可能とするサブ画面入力モードとのいずれかを選択することができる。
ユーザにより選択された入力モードが、図５に示すごとくのサブ画面入力モードであった場合、サブ画面処理部４５が起動し、画像生成部３３にてまず全画面の画像データを生成する。そして画像生成部３３は、生成した全画面の画像データから、全画面を縮小表示するサブ画面の画像データを生成し、画像表示部１１にて表示する（ステップＳ６）。
【００５４】
そして画像入力制御部４１が表示完了のイベントを受け取ると、入力エリア選択処理部４６が起動する。そして利用者は、サブ画面に表示された画像のなかから、画像に対する編集等の操作入力を行うための入力エリアを選択することができる（ステップＳ７）。そして入力エリア選択処理部４６は、サブ画面で入力エリアが選択されたことを示す入力エリア選択イベントを受け取ると、サブ画面上に、選択した入力エリアの画像を表示させる（ステップＳ８）。そして画像生成部３３は、画像表示部１１の全体に表示されている全画面上に、選択した入力エリアが編集中である旨を表示する（ステップＳ９）。ここでは、入力エリアとして選択したエリアの画像に対して編集中であることが判別できるように、ハッチングなどの表示を行う。つまり選択したエリアの画像と、選択されていないエリアの画像とを異なる表示形態で表示させる。
【００５５】
ステップＳ９の後、利用者がサブ画面に対して描画等の編集作業を行い、もしくはステップＳ５で通常入力モードにより利用者が編集作業を行って、画像入力制御部５１に入力完了のイベントが入力した場合（ステップＳ１０―ＹＥＳ）、入力モード処理部４４が起動して入力モードが判別される（ステップＳ１１）。
ここで入力モードとして、サブ画面入力モードが選択されていた場合、画像生成部３３は、画像表示部１１の全体に表示されている全画面の編集中の表示を解除して元の表示状態に戻し、サブ画面上で追加編集された内容を編集前の元画像に反映して、画像表示部１１で表示させる。またこのときにサブ画面を表示画面から削除する（ステップＳ１２）。
【００５６】
ステップＳ１１で入力モードが通常入力モードであった場合、及びステップＳ１２でサブ画面の内容が全画面に反映されてサブ画面が削除された場合、入力モード終了完了のイベントが入力されると編集モード処理部４３が起動し、編集モードが判別される（ステップＳ１３）。ここで編集モードが、図３（Ｂ）に示すごとくの元画面編集不可モードであった場合、元画像のプロテクトを解除して、元画像を半透明から元の表示状態に戻す（ステップＳ１４）。
そしてステップＳ１３で編集モードが元画面編集可能モードであった場合、及びステップＳ１４で元画像のプロテクトが解除されて半透明表示が元の状態に戻された場合、次の入力処理を行うためにステップＳ１へ戻る。
【００５７】
なお、上記ステップＳ１２でサブ画面の編集内容を全画面に反映した後、続けて別の入力エリアをサブ画面に設定して編集を行うことができるように、ステップＳ１２で編集内容を全画面に反映したときに、続けて新たな入力エリアを設定するかどうかをユーザに選択させ、新たな入力エリアを設定する場合には、サブ画面を削除することなくステップＳ７へ戻り、サブ画面に対する新たな入力エリアの選択を受け付けるようにしてもよい。
【００５８】
上述した実施形態を構成する情報処理装置の各部（画像入力制御部４１、編集モード処理部４３、入力モード処理部４４、サブ画面処理部４５、入力エリア選択処理部４６）の機能をコンピュータにより実現させるためのプログラムによって本発明の他の実施形態が構成される。このプログラムを予め記録媒体に書き込んでおき、この記録媒体に記録されたプログラムをコンピュータに備えられたメモリあるいは記憶装置に格納し、そのプログラムを実行することによって、本発明の目的が達成される。この場合、記録媒体から読み出されたプログラム自体が上述した実施形態の機能を実現することになり、そのプログラムおよびそのプログラムを記録した記録媒体も本発明の実施形態を構成することになる。
【００５９】
また、上記プログラムは、そのプログラムの指示に基づき、オペレーティングシステムあるいは他のアプリケーションプログラム等と共同して処理することによって上述した実施形態の機能が実現される場合も含まれる。
なお、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納された上記プログラムをサーバコンピュータから直接供給を受けるようにしてもよい。この場合、このサーバコンピュータの記憶装置も本発明の記録媒体に含まれる。このように、上述した実施形態の機能をプログラム化して流通させることによって、コストの低廉化、および可搬性や汎用性を向上させることができる。
本発明は上述した各実施形態に限定されず、本発明の要旨を逸脱しない範囲内で各種の変形、修正が可能であるのは勿論である。
【図面の簡単な説明】
【００６０】
【図１】本発明に係る情報表示装置の一実施形態を説明するためのブロック図である。
【図２】図１の構成における情報処理装置の機能を説明するためのブロック図である。
【図３】本発明の情報表示に設定された編集モードの一例を説明するための図である。
【図４】本発明の情報表示装置に設定された入力モードの一例を説明するための図である。
【図５】本発明の情報表示装置に設定された入力モードの他の例を説明するための図である。
【図６】本発明に係る情報表示装置における編集時の処理の一例を説明するためのフローチャートである。
【符号の説明】
【００６１】
１…情報表示装置、１０…タッチパネル付表示装置、１１…画像表示部、１２…接触監視部、２０…入力部、３０…情報処理装置、３１…主制御部、３２…記憶部、３３…画像生成部、４１…画像入力制御部、４２…画像記憶部、４３…編集モード処理部、４４…入力モード処理部、４５…サブ画面処理部、４６…入力エリア選択処理部、１００…表示画面、１０１…描画像、１０２…元画像、１０３…サブ画面、１０４…入力エリア、１０５…エリア、２０１…電子ペン。
【図１】
0004500845.tif 000002
【図２】
0004500845.tif 000003
【図３】
0004500845.tif 000004
【図４】
0004500845.tif 000005
【図５】
0004500845.tif 000006
【図６】
0004500845.tif 000007